(57)【要約】  【課題】安定した保持が行えると同時に、シースルービュアーとして使用するときでも、スピーカーの音を使用者が良好に聞き取ることができる携帯情報端末装置を提供する。  【解決手段】情報入力部４を有する把持部３と、情報入力部４で入力した情報又は外部から得た情報を表示する表示面１ａを有する表示部１と、ビームコンバイナ２と、ビームコンバイナ２を、表示部１に対して開閉可能に支持するビームコンバイナ開閉部材６と、表示部１を把持部３に対して開閉可能に支持する表示部開閉部材５と、スピーカー７を備える。スピーカー７を、把持部３に設ける。ビームコンバイナ２、表示面１ａ及びスピーカー７を、表示部１から把持部３に向かって順に配置する。スピーカー７を、情報入力部４が設けられている面と異なる面に設ける。【選択図】  図１
2006157088.tif 000002
【特許請求の範囲】
【請求項１】
情報入力部を有する把持部と、
前記情報入力部で入力した情報又は外部から得た情報を表示する表示面を有する表示部と、
ビームコンバイナと、
前記ビームコンバイナを、前記表示部に対して開閉可能に支持するビームコンバイナ開閉部材と、
前記表示部を、前記把持部に対して開閉可能に支持する表示部開閉部材と、
スピーカーを備え、
前記スピーカーが、前記把持部に設けられていることを特徴とする本発明による携帯情報端末装置。
【請求項２】
前記ビームコンバイナ、前記表示面及び前記スピーカーが、前記表示部から前記把持部に向かって順に配置されていることを特徴とする請求項１に記載の携帯情報端末装置。
【請求項３】
前記スピーカーが、前記情報入力部が設けられている面と異なる面に設けられていることを特徴とする請求項１または請求項２に記載の携帯情報端末装置。
【請求項４】
前記異なる面が、前記情報入力部が設けられている面と接する面であることを特徴とする請求項３に記載の携帯情報端末装置。
【請求項５】
前記異なる面が、前記情報入力部が設けられている面とは反対側の面であることを特徴とする請求項３に記載の携帯情報端末装置。
【請求項６】
前記表示面と前記スピーカーの間に、前記情報入力部が位置することを特徴とする請求項１乃至請求項５のいずれか１項に記載の携帯情報端末装置。
【請求項７】
前記スピーカーが、前記把持部から分離可能になっていることを特徴とする請求項１乃至請求項６のいずれか１項に記載の携帯情報端末装置。
【請求項８】
情報入力部を有する把持部と、
前記情報入力部で入力した情報又は外部から得た情報を表示する表示面を有する表示部と、
ビームコンバイナと、
前記ビームコンバイナを、前記表示部に対して開閉可能に支持するビームコンバイナ開閉部材と、
前記表示部を、前記把持部に対して開閉可能に支持する表示部開閉部材と、
スピーカーを備え、
前記スピーカーが、前記把持部に接続するイヤホンで構成されていることを特徴とする携帯情報端末装置。
【請求項９】
前記イヤホンが、前記把持部と着脱可能に構成されていることを特徴とする請求項７に記載の携帯情報端末装置。
【請求項１０】
前記把持部が、前記イヤホンを格納する格納部を備えていることを特徴とする請求項７に記載の携帯情報端末装置。
【請求項１１】
前記イヤホンが、前記把持部に無線で接続することを特徴とする請求項７に記載の携帯情報端末装置。
【発明の詳細な説明】
【技術分野】
【０００１】
本発明は液晶パネルなどの表示素子を有する携帯情報端末装置に関する。
【背景技術】
【０００２】
近年、一人の人間が複数のコンピュータを使用するネットワーク社会、いわゆるユビキタス・ネットワーク社会が提唱されている。ユビキタス・ネットワーク社会では、インターネット等の情報ネットワークに、いつでも、どこからでもアクセスできる環境が実現できる。このようなアクセスに使うことのできる携帯情報端末装置は、パソコンに限られず、例えば携帯電話等も用いることができる。
【０００３】
また、携帯電話においては、通話とディスプレイ認識とを同時に行える表示機能付き携帯情報端末装置としての構成が提案されている（例えば、特許文献１参照。）。
【特許文献１】特開２００１−３０８９９７号公報
【０００４】
特許文献１に開示されている構成では、小型のディスプレイをホログラム素子により遠方に拡大投影する。これにより、例えば通話をしながら表示画像情報を見ることができる。さらに、ホログラム素子を介して遠方の物体の透過像を同時に観察できる。このような表示機能付き携帯情報端末装置は、実視野の像に重畳させてデジタル情報を表示する、いわゆるシースルービュアー（ｓｅｅ−ｔｈｒｏｕｇｈ  ｖｉｅｗｅｒ）として用いることができる。
【発明の開示】
【発明が解決しようとする課題】
【０００５】
しかしながら、従来技術の表示機能付き携帯情報端末装置は、使用者の顔の前で装置を保持する構成となっている。そのため、安定して保持することが難しい。また、シースルービュアーとして使用する場合、スピーカーの位置が耳から離れた位置になり、スピーカーから発せられる音声を聴き取り難くなる。
【０００６】
本発明は、上記問題点に鑑みてなされたものであって、安定した保持が行えると同時に、シースルービュアーとして使用するときでも、スピーカーの音を使用者が良好に聞き取ることができる携帯情報端末装置を提供することを目的とする。
【課題を解決するための手段】
【０００７】
上記目的を達成するため、本発明による携帯情報端末装置は、情報入力部を有する把持部と、前記情報入力部で入力した情報又は外部から得た情報を表示する表示面を有する表示部と、ビームコンバイナと、前記ビームコンバイナを、前記表示部に対して開閉可能に支持するビームコンバイナ開閉部材と、前記表示部を、前記把持部に対して開閉可能に支持する表示部開閉部材と、スピーカーを備え、前記スピーカーが、前記把持部に設けられていることを特徴とする。
【０００８】
また、本発明の携帯情報端末装置においては、前記ビームコンバイナ、前記表示面及び前記スピーカーが、前記表示部から前記把持部に向かって順に配置されているのが好ましい。
【０００９】
また、本発明の携帯情報端末装置においては、前記スピーカーが、前記情報入力部が設けられている面と異なる面に設けられているのが好ましい。
【００１０】
また、本発明の携帯情報端末装置においては、前記異なる面が、前記情報入力部が設けられている面と接する面であるのが好ましい。
【００１１】
また、本発明の携帯情報端末装置においては、前記異なる面が、前記情報入力部が設けられている面とは反対側の面であるのが好ましい。
【００１２】
また、本発明の携帯情報端末装置においては、前記表示面と前記スピーカーの間に、前記情報入力部が位置するのが好ましい。
【００１３】
また、本発明の携帯情報端末装置は、前記スピーカーが、前記把持部から分離可能になっているのが好ましい。
【００１４】
また、本発明による携帯情報端末装置は、情報入力部を有する把持部と、前記情報入力部で入力した情報又は外部から得た情報を表示する表示面を有する表示部と、ビームコンバイナと、前記ビームコンバイナを、前記表示部に対して開閉可能に支持するビームコンバイナ開閉部材と、前記表示部を、前記把持部に対して開閉可能に支持する表示部開閉部材と、スピーカーを備え、前記スピーカーが、前記把持部に接続するイヤホンで構成されていることを特徴とする。
【００１５】
また、本発明の携帯情報端末装置においては、前記イヤホンが、前記把持部と着脱可能に構成されているのが好ましい。
【００１６】
また、本発明の携帯情報端末装置においては、前記把持部が、前記イヤホンを格納する格納部を備えているのが好ましい。
【００１７】
また、本発明の携帯情報端末装置においては、前記イヤホンが、前記把持部に無線で接続するように構成するのが好ましい。
【発明の効果】
【００１８】
本発明によれば、使用者は、携帯情報端末装置をシースルービュアーとして使用するときに、安定した保持が行えると同時に、スピーカーの音を良好に聞き取ることができる。
【発明を実施するための最良の形態】
【００１９】
実施例の説明に先立ち、本発明の作用効果について説明する。
図１は本発明の一実施形態にかかる携帯情報端末装置を示す概略構成図である。図１では、携帯情報端末装置の表示部とビームコンバイナとの位置、及びこれらと使用者の眼との関係を示している。なお、図１中、Ｅは使用者の眼球である。
本実施形態の携帯情報端末装置は、情報入力部（図示省略）を有する把持部３と、表示面１ａを有する表示部１と、ビームコンバイナ２を有している。表示面１ａは、画像（情報）を表示する。ビームコンバイナ２は、表示面１ａに表示された画像（情報）を、拡大するような光学的パワーを持つ。このビームコンバイナ２は、ハーフミラーで構成されている。また、把持部３と表示部１の接続部には、表示部開閉部材５が設けられている。また、表示部１とビームコンバイナ２の接続部には、ビームコンバイナ開閉部材６が設けられている。
表示部１の表示面１ａに表示された画像（情報）は、ビームコンバイナ２で反射されて使用者の眼Ｅに導かれる。使用者の眼Ｅから、ビームコンバイナ２を隔てた所定の位置に、表示面１ａに表示された画像（情報）の虚像が、拡大形成される。よって、使用者は、この虚像を拡大観察できる。
【００２０】
また、把持部３における使用者と対向する面の端部には、マイク８が設けられている。そして、使用者が通常の携帯電話として使用する場合にマイク８を使って、音声通信をすることができるようになっている。
また、本実施形態の携帯情報端末装置は、把持部３における使用者と対向する面とは異なる面の端部に、スピーカー７が設けられている。なお、図示省略した情報入力部は、把持部３における使用者と対向する面に設けられている。そして、スピーカー７は、使用者が携帯情報端末装置をシースルービュアーとして用いたときに、使用者の耳の近くに位置する。また、図１の構成の場合、ビームコンバイナ２、表示面１ａ、スピーカー７は、表示部１から把持部３に向かって順に配置されている。
【００２１】
なお、本実施形態の携帯情報端末装置では、上述のように表示面１ａで表示された画像をビームコンバイナ２で反射して、使用者の眼Eに導くように構成している。このような構成の携帯情報端末装置においては、ビームコンバイナ２が、表示面１ａに対して偏心配置されている。このため、ビームコンバイナ２を介して観察される像に偏心収差が生じやすい。
しかるに、本実施形態の携帯情報端末装置では、ビームコンバイナ２に非対称なパワーを持たせている。具体的には、仮想線Ｌに沿う方向において、徐々にパワーが変化するように、ビームコンバイナ２の光学面を形成する。このようにすれば、表示面１ａに対しビームコンバイナ２が偏心していることにより偏心収差が発生しても、この偏心収差を補正することができる。
【００２２】
そして、本実施形態の携帯情報端末装置では、シースルービュアーとして使用する場合に、把持部３を使用者の側頭部に当接させる構成になっている。よって、携帯情報端末装置を、安定して保持することができる。また、スピーカー７が使用者の耳の近くに位置する。よって、使用者は、確実に音声を認識することができる。
【００２３】
以下、本発明の実施例について、図面を用いて説明する。
【実施例１】
【００２４】
図２は本発明の実施例１にかかる携帯情報端末装置を、側方からみた概略図である。ここで、(a)は表示部を閉じた状態、(b)は表示部を展開した状態、(c)は(b)の状態からビームコンバイナを展開した状態を示している。図３は携帯情報端末装置における表示部とビームコンバイナ、及びビームコンバイナと使用者の瞳位置との関係を示す説明図である。
【００２５】
実施例１の携帯情報端末装置は、情報入力部４を有する把持部３と、表示面１ａを有する表示部１と、光学的パワーを有するビームコンバイナ２と、表示部開閉部材５を有している。ここで、表示面１ａは、情報入力部４で入力した情報、又は外部から受信した情報を表示する。また、表示部開閉部材５は、表示部１を把持部３に対して開閉可能に支持している。このような構成により、実施例１の携帯情報端末装置は、所謂折り畳みタイプの携帯電話機として構成されている。
そして、更に、ビームコンバイナ２が、ビームコンバイナ開閉部材６を介して、表示部１に接続されている。この接続位置は、表示部１の一端側であって、表示部開閉部材５と対向する位置である。このビームコンバイナ開閉部材６によって、表示部１に対して所定の角度で、ビームコンバイナ２を固定することができる。このような構成により、実施例１の携帯情報端末装置は、図３に示すように、シースルービュアーとしても構成されている。
【００２６】
表示部開閉部材５は、図４に示すように、円筒部５ｂと円筒部５ａと、バネ５ｃと、球状部材５ｄと、ピン５ｅと、止め具５ｆを有している。ここで、円筒部５ｂは、表示部１の一端に一体形成されている。また、円筒部５ａは、把持部３の一端に一体形成されている。
円筒部５ａには、長手方向に沿って、中央に貫通孔５ａ1が形成されている。そして、円筒部５ａの一端には、ピン５ｅの頭部を収納するための凹部５ａ2が、他端には、バネ５ｃを取り付けるための取付部（図示省略）が、それぞれ形成されている。
円筒部５ｂの中央には、長手方向に沿って、中央に貫通孔５ｂ1が形成されている。そして、円筒部５ｂの一端には、止め具５ｆを収納するための凹部（図示省略）が、他端には、球状部材５ｄの一部を嵌合可能な係止溝５ｂ2，５ｂ3が、それぞれ形成されている。
【００２７】
そして、表示部開閉部材５では、バネ５ｃを円筒部５ａの取付部に取り付けるとともに、バネ５ｃの先端に球状部材５ｄを取り付けている。そして、この状態で、ピン５ｅを円筒部５ａの凹部５ａ２側から、円筒部５ａ，５ｂの貫通孔５ａ1，５ｂ1に通し、その先端を止め具５ｆで止めている。このような構成により、表示部開閉部材５は、表示部１を把持部３に対し開閉可能に支持している。
また、表示部開閉部材５では、表示部１を展開したときに、球状部材５ｄが係止溝５ｂ2，５ｂ3に嵌合し、且つ、バネ５ｃに付勢される。このようにすることで、表示部１と把持部３を、任意の角度で固定することができるようになっている。
なお、表示部開閉部材５の具体的な構成は、上記構成に限定されるものではない。例えば、円筒部５ａ，５ｂのそれぞれに磁石を備えた係止部を設け、互いの係止部が当接したときに、表示部１と把持部３が固定されるように構成してもよい。
【００２８】
ビームコンバイナ開閉部材６は、円筒部６ａと係止部６ｂと、円筒部６ｃと、係止爪６ｃ2と、図示省略したピン及び止め具を有している。ここで、円筒部６ａと係止部６ｂは、表示部１の他端に一体形成されている。一方、円筒部６ｃは、ビームコンバイナ２の一端に一体形成されている。また、係止爪６ｃ2は、円筒部６ｃに一体形成されている。
円筒部６ａ，６ｃには、中央に貫通孔６ａ1，６ｃ1がそれぞれ形成されている。係止部６ｂ及び係止爪６ｃ2にはそれぞれ磁石が設けられている。
【００２９】
そして、ビームコンバイナ開閉部材６は、図示省略したピンを円筒部６ａ，６ｃの貫通孔６ａ1，６ｃ1に通し、その先端を図示省略した止め具で止めて構成されている。このような構成により、ビームコンバイナ開閉部材６は、ビームコンバイナ２を、表示部１に対し開閉可能に支持している。
また、ビームコンバイナ開閉部材６は、ビームコンバイナ２を展開したときに、係止爪６ｃ2が係止部６ｂに当接し、且つ、互いの磁力でその状態を保持することで、ビームコンバイナ２を表示部１に対して固定することができるようになっている。
なお、ビームコンバイナ開閉部材６は、上記構成に限定されるものではない。例えば、表示部開閉部材５における球状部材５ｄが係止溝５ｂ2，５ｂ3に嵌合し、且つ、バネ５ｃに付勢される構成と同様に構成してもよい。
【００３０】
このような構成によって、図３に示すように、表示面１ａに表示された情報が、使用者の瞳Ｅ方向に反射されるようになっている。このように、実施例１の携帯情報端末装置は、携帯電話としての使用と、シースルービュアーとしての使用が可能になる。
【００３１】
そして、実施例１の携帯情報端末装置では、スピーカー７が、把持部３の端部、ここでは後端面３ａに設けられている。後端面３ａは、情報入力部４が設けられている面と接する面である。また、実施例１の携帯情報端末装置では、ビームコンバイナ２、表示面１ａ及びスピーカー７が、順に配置されている。さらに、表示面１ａとスピーカー７の間に、情報入力部４が配置されている。
なお、スピーカー７の発音部７ａは、音声が図５(a)に示す矢印Ａの方向、または図５(b)に示す矢印Ｂの方向に向かうように配置するのが好ましい。特に、図５(a)のようにすると、音声が使用者に向かって発せられる。よって、使用者は、容易に、音声を聞き取ることができる。
【００３２】
なお、図５(a)，(b)に示す構成では、スピーカー７が後端面３ａから突出している。そこで、スピーカー７を、把持部３の内部に向かって移動できるようにするとよい。このようにすれば、スピーカー７を使用しないときには、スピーカー７を把持部３の内部に格納することができ、使い勝手がよくなる。
また、図５(b)に示す構成において、発音部７ａの面が、後端面３ａと同一面となるようにしても良い。
【００３３】
そして、実施例１の携帯情報端末装置では、シースルービュアーとして使用する場合に、把持部３を使用者の側頭部に当接させる構成になっている。よって、携帯情報端末装置を、安定して保持することができる。また、スピーカー７が使用者の耳の近くに位置する。よって、使用者は、確実に音声を認識することができる。
【実施例２】
【００３４】
図６は本発明の実施例２にかかる携帯情報端末装置の概略構成を示す斜視図である。ここで、(a)は表示部を閉じた状態、(b)は表示部を展開した状態、(c)は(b)の状態からビームコンバイナと表示面構成部を展開した状態を示している。図７は、携帯情報端末装置における表示部とビームコンバイナ、及びビームコンバイナと使用者の瞳位置との関係を示す説明図である。
【００３５】
実施例２の携帯情報端末装置は、情報入力部４を有する把持部３と、表示部１と、光学的パワーを有するビームコンバイナ２と、外枠部開閉手段５を有している。ここで、表示部１は、表示面１ａと、表示面１ａの周りを囲む外枠部１ｂとを有する。なお、図中１ａ’は表示面１ａを含む表示面構成部である。ここで、表示面１ａは、情報入力部４で入力した情報、又は外部から受信した情報を表示する。また、外枠部開閉手段５は、表示部１の外枠部１ｂを把持部３に対して開閉可能に支持している。このような構成により、実施例１の携帯情報端末装置は、所謂折り畳みタイプの携帯電話機として構成されている。
そして、更に、ビームコンバイナ２が、ビームコンバイナ開閉部材６を介して、表示部１に接続されている。この接続位置は、表示部１の一端側であって、表示部開閉部材５と対向する位置である。このビームコンバイナ開閉部材６によって、表示部１に対して所定の角度で、ビームコンバイナ２を固定することができる。このような構成により、実施例２の携帯情報端末装置は、図７に示すように、シースルービュアーとしても構成されている。
【００３６】
外枠部開閉部材５、ビームコンバイナ開閉部材６は、実施例１の表示部開閉部材５、ビームコンバイナ開閉部材６について説明したとおりである。また、表示面回動部材９は、表示面１ａを外枠部１ｂに対して回動可能に支持し、且つ、表示面１ａを所定量回動させたときの状態を保持する構成を有する。表示面回動部材９としては、公知の回転機構を用いればよい。よって、具体的な構成について、詳細な説明は省略する。
【００３７】
そして、実施例２の携帯情報端末装置では、スピーカー７が、把持部３の側面３ｂに設けられている。側面３ｂは、情報入力部４が設けられている面と接する面である。また、実施例２の携帯情報端末装置では、ビームコンバイナ２、表示面１ａ及びスピーカー７が、順に配置されている。また、実施例２の携帯情報端末装置では、スピーカー７が、情報入力部４と略同じ位置に配置されている。この位置は、使用者が携帯情報端末装置を側頭部で保持したときに、使用者の耳に最も近くなる位置である。なお、把持部３の全長が短い場合には、スピーカー７は把持部３の端部に配置すればよい。
なお、スピーカー７の発音部７ａは、音声が図８(a)に示す矢印Ａの方向、または図８(b)に示す矢印Ｂの方向もしくは矢印Ｃの方向に向かうようにするのが好ましい。特に、図８(a)のようにすると、音声が使用者に向かって発せられる。よって、使用者は、容易に、音声を聞き取ることができる。
【００３８】
そして、実施例２の携帯情報端末装置では、シースルービュアーとして使用する場合、把持部３を使用者の側頭部に当接させる構成になっている。よって、携帯情報端末装置を、安定して保持することができる。また、スピーカー７が使用者の耳の近くに位置する。よって、使用者は、確実に音声を認識することができる。
【実施例３】
【００３９】
図９は本発明の実施例３にかかる携帯情報端末装置の概略構成を示す斜視図である。ここで、(a)は表示部を開いた状態、(b)は表示部を回転させた状態、(c)はシースルービュアーとして使用可能な状態を示している。なお、実施例１と同じ構成要素については同じ番号を付し、その説明は省略する。
【００４０】
実施例３の携帯情報端末装置は、スピーカー７が、情報入力部４とは反対側の面の、使用者が携帯情報端末装置を側頭部で保持したときに、使用者の耳に最も近くなる位置に設けられているとともに、表示部１を回転させる表示部回転機構１０を備えている。なお、表示部回転機構１０は、公知の回転機構を用いて構成されている。
【００４１】
このように構成された実施例３の携帯情報端末装置の使用状態について説明する。まず、表示部１を図９(a)の実線で示す位置に展開する。この状態では、表示面１ａは、情報入力部４と同じ方向を向いている。使用者は、携帯情報端末装置を、例えば、携帯電話として使用することができる。
【００４２】
次に、携帯情報端末装置を、シースルービュアーとして使用する場合を説明する。表示部１を更に破線で示す位置まで折り曲げる。このとき、表示部回転機構１０も表示部１と共に折り曲げられる。続いて、表示部１を表示部回転機構１０の中心を軸として回転させる。図９(b)は、表示部１を、図９(a)の破線で示す位置にある状態から９０°回転させた状態を示している。最終的には、表示部１を、図９(a)の破線で示す位置にある状態から１８０°回転させた状態にする。そして、ビームコンバイナ２３を展開する。その結果、携帯情報端末装置は、図９(c)に示すような状態になる。
【００４３】
図９(c)に示す状態では、表示面１ａは、情報入力部４と反対方向を向く一方、スピーカー７とは同じ方向を向くことになる。そして、シースルービュアーとして使用するために携帯情報端末装置を把持部３を介して側頭部で保持したときに、使用者の耳の近傍に、スピーカー７が位置する。ことになる。よって、使用者は、容易に、音声を聞き取ることができる。
【００４４】
このように、実施例３の携帯情報端末装置によれば、シースルービュアーとして使用する場合、携帯情報端末装置を、把持部３を使用者の側頭部に当接させて保持することによって、携帯情報端末装置を、安定して保持することができる。また、スピーカー７が使用者の耳の近くに位置する。よって、使用者は、確実に音声を認識することができる。
【００４５】
なお、各実施例において、スピーカー７を把持部３から分離可能に設けても良い。
【００４６】
また、図１０に示すように、スピーカー７を、イヤホン７’で構成してもよい。このようにすれば、イヤホン７’を使用者の耳に装着することによって、使用者は、確実に音声を認識することができる。なお、把持部３からイヤホン７’への音声信号の送信は、図１０に示すように、有線（信号ケーブル１１を介してイヤホン７’と把持部３とを連結する）あるいは無線で行えばよい。また、イヤホン７’及び信号ケーブル１１を、把持部３の内部に格納可能としても良い。
また、把持部３からイヤホン７’への音声信号の送信を有線（信号ケーブル１１）で行う場合には、図１０(b)に示すように、接続部１２を介して、イヤホン７’及び信号ケーブル１１を把持部３から着脱可能にしてもよい。
【図面の簡単な説明】
【００４７】
【図１】本発明の一実施形態にかかる携帯情報端末装置を示す概略構成図である。
【図２】本発明の実施例１に係る携帯情報端末装置を、側方からみた概略図であって、(a)は表示部を閉じた状態、(b)は表示部を展開した状態、(c)は(b)の状態からビームコンバイナを展開した状態を示す図である。
【図３】実施例１の携帯情報端末装置における表示部とビームコンバイナ、及びビームコンバイナと使用者の瞳位置との関係を示す説明図である。
【図４】実施例１の携帯情報端末装置における表示部開閉部材、及びビームコンバイナ開閉部材の構造を示す説明図である。
【図５】実施例１の携帯情報端末装置におけるスピーカーの配置位置を示す図であり、(a)はその一配置例を示す説明図、(b)は他の配置例を示す説明図である。
【図６】本発明の実施例２に係る携帯情報端末装置を、側方からみた概略図であって、(a)は表示部を閉じた状態、(b)は表示部を展開した状態、(c)は(b)の状態からビームコンバイナを展開した状態を示す図である。
【図７】実施例２の携帯情報端末装置における表示部とビームコンバイナ、及びビームコンバイナと使用者の瞳位置との関係を示す説明図である。
【図８】実施例２の携帯情報端末装置におけるスピーカーの配置位置を示す図であり、(a)はその一配置例を示す説明図、(b)は他の配置例を示す説明図である。
【図９】本発明の実施例３に係る携帯情報端末装置を、側方からみた概略図であって、(a)は表示部を展開した状態、(b)は表示部を回転している途中の状態、(c)はビームコンバイナを展開した状態を示す図である。
【図１０】本発明にかかる携帯情報端末装置におけるスピーカーの別の構成例を示す図であり、(a)はその一例を示す説明図、(b)は(a)の変形例を示す説明図である。
【符号の説明】
【００４８】
１          表示部
１ａ        表示面
１ａ’      表示面構成部
１ｂ        外枠部
２          ビームコンバイナ
３          把持部
３ａ        把持部の後端面
３ｂ        把持部の側面
３ｃ        把持部の裏面
４          情報入力部
５          外枠部開閉手段
５ａ，５ｂ  円筒部
５ａ1，５ｂ1          貫通孔
５ａ2      凹部
５ｂ2，５ｂ3          係止溝
５ｃ        バネ
５ｄ        球状部材
５ｅ        ピン
５ｆ        止め具
６          ビームコンバイナ開閉手段
６ａ，６ｃ  円筒部
６ａ1，６ｃ1          貫通孔
６ｂ        係止部
６ｃ2      係止爪
７          スピーカー
７’        イヤホン
８          マイク
９          表示面回動部材
１０        表示部回転機構
１１        信号ケーブル
１２        接続部
Ｅ          観察者の眼
【図１】
2006157088.tif 000003
【図２】
2006157088.tif 000004
【図３】
2006157088.tif 000005
【図４】
2006157088.tif 000006
【図５】
2006157088.tif 000007
【図６】
2006157088.tif 000008
【図７】
2006157088.tif 000009
【図８】
2006157088.tif 000010
【図９】
2006157088.tif 000011
【図１０】
2006157088.tif 000012